(57)【特許請求の範囲】
【請求項１】
仮設足場の構造物に着脱自在に装着可能な基部部材と、
基部部材に水平面内で旋回自在に軸支されたブラケットと、
ブラケットの前部に設けられた荷側滑車取り付け部と、
ブラケットの下端部で旋回軸の延長線近くに装着されたウインチ側シーブと、からなる簡易クレーン本体を備え、
ウインチ側シーブの下方に配置したウインチのワイヤロープをウインチ側シーブを介して荷側滑車取り付け部に取り付けた荷側滑車に巻装し、ワイヤロープ先端の吊りフックを垂下可能とし、
ウインチ側シーブのロープ入り口を旋回軸の延長線と一致させたこと、
を特徴とする簡易クレーン。
【請求項２】
請求項１記載の簡易クレーンのブラケットの前部に、荷側滑車取り付け部に代えて荷側シーブを設けたこと、
を特徴とする簡易クレーン。
【請求項３】
簡易クレーン本体のブラケットに設けた前方延設部と、
この前方延設部の前端部に設けたガイドロープ取り付け部と、
ガイドロープ取り付け部から地上へ垂らしたガイドロープと、
吊りフックに取り付けられるガイドロープ用滑車と、
を備え、
ガイドロープ用滑車にガイドロープを通すようにしたこと、
を特徴とする請求項１または２記載の記載の簡易クレーン。
【発明の詳細な説明】
【技術分野】
【０００１】
本発明は簡易クレーンに係り、とくにマンション、ビル等の建築物の新築・改修工事現場等の仮設足場に設置して足場部材、建築部材の荷揚げをするのに好適な簡易クレーンに関する。
【背景技術】
【０００２】
マンション、ビル等の新築・改修工事現場等では、仮設足場の組み上げ、建築物内への資材の搬入のため、仮設足場に簡易クレーンを設置し、地上から仮設足場の上の段に仮設足場の資材、建築物の資材を吊り上げ、足場内に取り込むようにしている。
図１に建築物の改修工事現場で用いられる従来の簡易クレーンの設置例を示す。仮設足場１の上段の建枠部材２の前側の縦枠２Ａに、複数のクランプ３を用いて基部支柱４が着脱自在に締結されており、この基部支柱４に前方へ延設されたブラケット５が装着されている。ブラケット５の前端には滑車取り付け部６を介して荷揚げ滑車７が懸吊されている。仮設足場１の地上近くに設置されたウインチ８から巻き出されたワイヤロープ９が荷揚げ滑車７に巻き掛られたのち下方に垂下されて先端に吊りフック１０が装着されている。吊りフック１０には玉掛けワイヤ１１と、介錯ロープ１２が掛装されている。地上の作業員Ａはリモコン１３により、ウインチ８からワイヤロープ９を巻き出させて玉掛けワイヤ１１を地上近くに下ろし、吊り荷としての足場資材１４に玉掛けする。そして、リモコン１３によりウインチ８を稼動しワイヤロープ９を巻き取らせ、地上から仮設足場１の上の段のステージの高さに荷揚げし、ウインチ８を止める。仮設足場１の上の段のステージの作業員Ｂは足場内に荷揚げされた足場資材１４を取り込む。荷揚げ中、地上の作業員Ａは介錯ロープ１２を操作して吊り荷の振れを抑える。
【０００３】
ところで、ブラケット５の荷揚げ滑車７の直下にウインチ８を配設すると、ワイヤロープ９が吊り荷に接触したり絡んだりして、荷揚げ作業に支障が生じる。このため、ウインチ８をブラケット５の荷揚げ滑車７の直下から離れた場所に設置し、ワイヤロープ９の途中を滑車１５に掛け、この滑車１５を引っ張りワイヤ１６により側方の建枠部材１７へ引っ張り、吊り荷とワイヤロープ９との接触を回避するようにしている。このとき、ブラケット５の先端には側方（図１の左方）への引っ張り力が掛かる。ブラケット５は元々、基部支柱４に対し水平面内で左右に旋回自在に軸支されているが、側方への引っ張り力でブラケット５の先端が側方へ旋回してしまうと、荷揚げ滑車７が仮設足場１に接近し過ぎて吊り荷が仮設足場１に接触してしまうため、クランプ等を用いてブラケット５が前方へ向く位置で基部支柱４に旋回不能に固定するようにしている。このため、仮設足場１の上の段のステージの作業員Ｂは荷揚げ滑車７の近くまで上昇した吊り荷を、手を伸ばして引っ張って足場内に無理に取り込まなければならず、とても危険であった。
【０００４】
これとは別に、簡易クレーンは仮設足場１が上方へ組み上がるに従い、設置箇所をより上段の建枠部材に付け替える必要がある。この付け替え作業では、まず簡易クレーン設置対象の建枠部材を組み上げ、一人の作業員が上部に登り、他の作業員が建枠部材から簡易クレーンを外し、持ち上げて上の作業員に手渡しする。上の作業員は先行して組み上げた建枠部材にクランプ３で締結し直すようにしている。けれども、簡易クレーンには荷揚げ滑車７、吊りフック１０を含むかなりの重量があり、手渡しで上に付け替えるのは困難な作業となっていた。
【先行技術文献】
【特許文献】
【０００５】
【特許文献１】実用新案登録第３０２３６８３号公報
【発明の概要】
【発明が解決しようとする課題】
【０００６】
本発明は上記した従来技術の問題に鑑みなされたもので、ブラケットを旋回可能にしてもワイヤロープが吊り荷と接触し難い簡易クレーンを提供することを、その目的とする。
【課題を解決するための手段】
【０００７】
請求項１記載の発明では、
仮設足場の構造物に着脱自在に装着可能な基部部材と、
基部部材に水平面内で旋回自在に軸支されたブラケットと、
ブラケットの前部に設けられた荷側滑車取り付け部と、
ブラケットの下端部で旋回軸の延長線近くに装着されたウインチ側シーブと、
からなる簡易クレーン本体を備え、
ウインチ側シーブの下方に配置したウインチのワイヤロープをウインチ側シーブを介して荷側滑車取り付け部に取り付けた荷側滑車に巻装し、ワイヤロープ先端の吊りフックを垂下可能とし、
ウインチ側シーブのロープ入り口を旋回軸の延長線と一致させたこと、
を特徴としている。
請求項２記載の発明では、
請求項１記載の簡易クレーンのブラケットの前部に、荷側滑車取り付け部に代えて荷側シーブを設けたこと、
を特徴としている。
請求項３記載の発明では、
簡易クレーン本体のブラケットに設けた前方延設部と、
この前方延設部の前端部に設けたガイドロープ取り付け部と、
ガイドロープ取り付け部から地上まで懸吊したガイドロープと、
吊りフックに取り付けられるガイドロープ用滑車と、
を備え、
ガイドロープ用滑車にガイドロープを通すようにしたこと、
を特徴としている。
【発明の効果】
【０００８】
本発明によれば、ブラケットの下端部で旋回軸の延長線の近くにウインチ側シーブを付設し、このウインチ側シーブを介してブラケットの前側の荷側滑車または荷側シーブにワイヤロープを巻装して下方に垂下できるようにしたので、ウインチ側シーブの直下にウインチを設置すれば、ウインチから巻き出されたワイヤロープと吊り荷の間に距離を取ることができる。加えて、ブラケットが前向きであっても、左右に旋回した向きであっても、ウインチとウインチ側シーブの間のワイヤロープが殆ど振れず、ワイヤロープがブラケットを旋回方向に引っ張ることもない。従って、ブラケットを支軸を中心にして旋回自在とし、荷の吊り上げ時にブラケットを前向きとしてもワイヤロープがブラケットを側方へ引っ張ることが無いので、荷揚げ中もブラケットは前向きを維持し、吊り荷がワイヤロープに接触したり絡んだりしない。吊り上げ後、荷を足場内に引き込む際はブラケットを旋回させて吊り荷を足場に近づけることができ、引き込み作業が容易となる。
また、他の発明によれば、ブラケットに前方延設部を設け、この前方延設部の前端部に設けたガイドロープ取り付け部から地上までガイドロープを懸吊し、吊りフックにガイドロープ用滑車を取り付け、このガイドロープ用滑車にガイドロープを通すようにしたので、高い位置に吊り上げたときの荷の振れ止めが容易となる。
【図面の簡単な説明】
【０００９】
【図１】従来の簡易クレーンの設置例を示す説明図である。
【図２】本発明に係る簡易クレーンの使用状態を示す一部省略した斜視図である（実施例１）。
【図３】図２中の簡易クレーン本体の組み立て図である。
【図４】図２中の簡易クレーン本体の内、ウインチ側シーブの作用説明図である。
【図５】図２中の吊り上げ補助具の外観斜視図である。
【図６】簡易クレーンの使用方法の説明図である。
【図７】簡易クレーンの使用方法の説明図である。
【図８】簡易クレーンの使用方法の説明図である。
【発明を実施するための最良の形態】
【００１０】
以下、本発明の最良の形態を実施例に基づき説明する。
【実施例１】
【００１１】
図２乃至図５を参照して本発明の一実施例を説明する。図２は本発明に係る簡易クレーンの使用状態を示す斜視図、図３は簡易クレーン本体の組み立て図、図４は簡易クレーン本体のウインチ側シーブの作用説明図、図５は本体吊り上げ補助具の外観斜視図である。
図２乃至図５において、３０はビティ仮設足場、３１はビティ仮設足場３０の最上部の建枠部材（ビティ仮設足場の構造物）、４０は建枠部材３１の前側の縦枠３１Ａの上部に設置された簡易クレーン本体、１４は簡易クレーン本体４０により地上からビティ仮設足場３０の最上部の一段下のステージに荷揚げされる荷揚げ資材（足場部材) 、６０は簡易クレーン本体４０を上方へ移動するための本体吊り上げ補助具である。簡易クレーン本体４０と本体吊り上げ補助具６０により、本実施例の簡易クレーンが構成されている。
【００１２】
簡易クレーン本体４０の内、４１は基部部材としての基部支柱であり、３つの締結金具（クランプ）４２により建枠部材３１の縦枠３１Ａの上部に鉛直向き、かつ着脱自在に締結されている。締結金具４２は基部支柱４１に予め固着していてもよく、或いは、現場で基部支柱４１に着脱自在に装着しても良い。４３は三角枠形のブラケットであり、基部支柱４１に対して、上下３箇所の支軸４４により水平面内で前方を基準にして左右に各々９０乃至１２０度ずつ旋回可能に装着されている。ブラケット４３の上枠４５の前端には荷側滑車取り付け部としてのＵ字状の荷側滑車取り付け金具４６が固着されおり、この荷側滑車取り付け金具４６に荷側滑車４７が着脱自在に懸吊されている。ブラケット４３の上枠４５には前方に延設された前方延設部４８が着脱自在に装着されている。即ち、前方延設部４８の前後２個所の両側に２組の固定金具４９と４９、５０と５０の上端部がボルト止めされており、固定金具４９と４９、５０と５０の下端部が上枠４５を跨ぐようにしてボルト止めされている。前方延設部４８の前端にはＵ字状のガイドロープ取り付け金具５１が固着されおり、このガイドロープ取り付け金具５１にガイドロープ５２の一端側が取り付けられたフック５３が掛装されている。ブラケット４３の上枠４５の中央付近にはシャックル５４が装着されており、このシャックル５４に本体吊り上げ補助具６０の後述するロープの一端が取り付けられている。
【００１３】
ブラケット４３の縦枠５５の下端部には下方に延設された一組のシーブ取り付け板５６と５６がボルト止めにより装着されており、このシーブ取り付け板５６と５６の下端部にウインチ側シーブ５７が装着されている。ビティ仮設足場３０の地上近くに２本の単管パイプ３２、３３が併設してクランプ３４により締結されており、これらの単管パイプ３２、３３にウインチ８０が装着されている。ウインチ８０はウインチ側シーブ５７の直下に設置されており、ウインチ８０から巻き出されたワイヤロープ８１がウインチ側シーブ５７に巻き掛けられたのち、荷側滑車４７に巻き掛けられて先端に装着された吊りフック８２が下方に垂下されている。
図４に示す如く、ウインチ側シーブ５７のワイヤロープ入り口５７Ａはブラケット４３の旋回方向に関わらず、支軸４４の軸線Ｃと一致したまま変化しない（図４の（１）乃至（３）は各々ブラケット４３の前向状態、左旋回状態、右旋回状態を示す）。
【００１４】
図５に示す如く本体吊り上げ補助具６０はパイプをへの字状に曲げた吊持アーム６１と、吊持アーム６１の中央より少し後ろ側から下方へ延設されたパイプ状の基部支柱６２と、吊持アーム６１の後端に装着されたクランプ６３と、吊持アーム６１の前部に前後移動自在に懸吊されたシーブ６４を有している。シーブ６４は二枚の支持板６５、６５の下端部に装着されており、この支持板６５、６５の上端部に装着されたガイドローラ６６が吊持アーム６１の前部に懸装されることにより、前後移動自在になっている。吊持アーム６１にはガイドローラ６６の移動範囲を制限するストッパ６７、６８が突設されている。吊持アーム６１の前部は水平より角度θだけ少し下向きに傾斜されており、通常はシーブ６４が前寄りに移動した状態となるようになっている。シーブ６４にはロープ６９が巻装されており、このロープ６９の一端が簡易クレーン本体４０のシャックル５４に取り付けられている。
【００１５】
基部支柱６２と吊持アーム６１の前部及び後部の間には補強部材７０、７１が装着されており、後ろ側の補強部材７１にはワイヤロープ７２を介してフック７３が懸吊されている。フック７３は本体吊り上げ補助具の移動時に、一時的にビティ仮設足場３０の建枠部材に掛けるためのものである。基部支柱６２はビティ仮設足場３０の最上段の建枠部材３１の前側の縦枠３１Ａの上端部に着脱自在に差し込まれており、吊持アーム６１の前部がビティ仮設足場３０の前方に延設された状態となっている。吊持アーム６１の後端のクランプ６３は建枠部材３１の横枠３１Ｂに着脱自在に締結されている。
【００１６】
図２と図６は上記した簡易クレーン本体による資材荷揚げ方法の説明図、図７と図８は本体吊り上げ補助具６０による簡易クレーン本体４０の付け替え方法の説明図であり、以下、これらの図を参照して上記した実施例の作用を説明する。
図２に示す如く、予めビティ仮設足場３０の最上部の前側の縦枠３１Ａの上端近くに簡易クレーン本体４０がクランプ４１により締結済みであり、建枠部材３１の上部に本体吊り上げ補助具６０が装着済みであるとする。ガイドロープ取り付け金具５１にはフック５３が懸吊してあり、このフック５３に一端が取り付けられたガイドロープ５２の他端側が地上まで垂れ下げられている。荷側滑車取り付け金具４６には荷側滑車４７が懸吊してある。ウインチ側シーブ５７の直下の地上近くのビティ仮設足場３０に設置したウインチ８０から巻き出されたワイヤロープ８１がウインチ側シーブ５７に巻装したのち荷側滑車４６に巻装し、下方に垂下した先端に吊りフック８２が取り付けてある。また、本体吊り上げ補助具６０のシーブ６４にロープ６９が巻装してあり、このロープ６９の一端が簡易クレーン本体４０のシャックル５４に取り付けてある。
【００１７】
まず、簡易クレーン本体４０を用いた荷揚げ作業について説明する。簡易クレーン本体４０のブラケット４３は左右に各々９０乃至１２０度の範囲で旋回可能としてある。
地上に玉掛け、ウインチ８０の操作、ガイドロープ５２の介錯をする作業員Ａ、ビティ仮設足場３０の最上部より一段下の足場上に荷揚げ資材１４の引き込みを行う作業員Ｂが配置されているものとする。
図２に示す如く、簡易クレーン本体４０が前方向きの状態で、作業員Ａはリモコン９０を操作し、ウインチ８０を稼働させてワイヤロープ８１を延ばし、吊りフック８２を地上近くまで下げる。作業員Ａは荷揚げ資材１４に玉掛けワイヤ８３で玉掛けし、ガイドロープ５２をガイドロープ用滑車８４に通すとともに、吊りフック８２にシャックル８６を取り付け、シャックル８６にガイドロープ用滑車８４のステー８５と玉掛けワイヤ８３を取り付ける（図６参照）。
【００１８】
作業員Ａがリモコン９０の操作でウインチ８０を吊りフック上昇側に回転させ、ワイヤロープ８１を巻き上げて荷揚げ資材１４を上昇させる。この際、作業員Ａはガイドロープ５２を引っ張って荷揚げ資材１４の揺れを制御する。ガイドロープ５２とガイドロープ用滑車８４の使用により、荷揚げ資材１４が上方に高く上がった場面での揺れを最小限に抑えることができる。この点、従来の吊りフックに付けた介錯ロープで振れ止めを行う方法では、荷揚げ資材が高くなるほど振れ止めが困難となり、また、荷揚げ資材が低い位置では余った介錯ロープが同士が絡んだり、荷揚げ資材やビティ仮設足場の下部に絡んで、荷揚げ作業を中断しなければならない欠点があった。
荷揚げ資材１４がビティ仮設足場３０の最上部の一段下まで上がったところで、作業員Ａはウインチ８０を停止し、作業員Ｂが荷揚げ資材１４をブラケット４３とともに旋回させながら荷揚げ資材１４をビティ仮設足場３０の最上部より一段下に取り込む（図６参照）。
【００１９】
ウインチ側シーブ５７がブラケット４３の下部で支軸４４の近くに配設されており、ウインチ８０がウインチ側シーブ５７の直下に設置されているので、ウインチ８０とウインチ側シーブ５７の間のワイヤロープ８１はビティ仮設足場３０の前面近くを通ることになり、吊りフック８２に懸吊された荷揚げ資材１４との間に水平距離を取ることができる。また、ウインチ側シーブ５７のロープ入り口５７Ａが支軸４４の軸線Ｃに来るように配設されているので、ブラケット４３の向きが変わってもウインチ側シーブ５７のロープ入り口５７Ａの位置が変化しない。従って、ブラケット４３が前向きであっても、左右に旋回した向きであってもウインチ８０とウインチ側シーブ５７の間のワイヤロープ８１が殆ど振れず、ワイヤロープ８１がブラケット４３を旋回方向に引っ張ることもない。従って、ブラケット４３を支軸４４を中心にして旋回自在とし、荷の吊り上げ時にブラケット４３を前向きとしてもワイヤロープ８１がブラケット４３を側方へ引っ張ることが無いので、荷揚げ中もブラケット４３は前向きを維持し、荷揚げ資材１４がワイヤロープ８１に接触したり絡んだりすることはない。
【００２０】
次に、簡易クレーン本体４０の上方への付け替え作業について説明する。
本体吊り上げ補助具６０のフック７３をビティ仮設足場３０の最上部の横枠３１Ｂに掛けた状態で、ビティ仮設足場３０の上部にいる作業員Ｂがクランプ６３を外し、基部支柱６２を建枠部材３１の縦枠３１Ａから取り外す。そして、図７に示す如く、二段分、新たな建枠部材３５、３６を組み上げ、フック７３を縦枠部材３５の横枠３５Ｂ、３６Ｂに掛け替えながら本体吊り上げ補助具６０を手で上げていき、最上部前側の縦枠３６Ａに基部支柱６２を差し込み、吊持アーム６１の後端のクランプ６３で横枠３６Ｂに締結する。
ビティ仮設足場３０の上部にいる作業員Ｂがロープ６９を引っ張り、簡易クレーン本体４０の重量を支持した状態で、作業員Ａがクランプ４２を外して簡易クレーン本体４０を建枠部材３１から外す。図８に示す如く、作業員Ａが交代してロープ６９を引っ張り簡易クレーン本体４０を吊り上げるとともに、作業員Ｂがビティ仮設足場３０の最上部の縦枠３６Ａの上端部にクランプ４２で締結する。
【００２１】
作業員Ａがロープ６９を引っ張り簡易クレーン本体４０を吊り上げて移動するので、従来の如く、下と上の作業員の間で手渡しする場合に比べて遥かに安全かつ容易に簡易クレーン本体４０の付け替え作業ができる。また、本体吊り上げ補助具６０の吊持アーム６１の前部が下向きに傾斜しているので、簡易クレーン本体４０の吊り上げ中はシーブ６４が前寄りに移動しており、作業員Ａがロープ６９を引っ張っても簡易クレーン本体４０がビティ仮設足場３０に接触して破損する恐れはない。また、シーブ６４が前後に移動自在なので、簡易クレーン本体４０を上方に引き上げ後、作業員Ｂが簡易クレーン本体４０を仮設足場３０の縦枠３６Ａの方へ引き寄せるとシーブ６４が後方移動し、簡易クレーン本体４０が前方へ大きな力で引っ張られることがなく、簡易クレーン本体４０の基部支柱４１を簡単に仮設足場の最上部の縦枠３６Ａに引き寄せることができ、クランプ４２による締結作業を円滑に行うことができる。
【００２２】
この実施例によれば、簡易クレーン本体４０のブラケット４３の下部で旋回軸の延長線の近くにウインチ側シーブ５７を付設し、このウインチ側シーブ５７を介してブラケット４３の前側の荷側滑車４７にワイヤロープ８１を巻装して下方に垂下できるようにしたので、ウインチ側シーブ５７の直下にウインチ８０を設置すれば、ウインチ８０から巻き出されたワイヤロープ８１と吊り荷の間に距離を取ることができる。加えて、ブラケット４３が前向きであっても、左右に旋回した向きであっても、ウインチ８０とウインチ側シーブ５７の間のワイヤロープ８１が殆ど振れず、ワイヤロープ８１がブラケット４３を旋回方向に引っ張ることもない。従って、ブラケット４３を支軸４４を中心にして旋回自在とし、荷の吊り上げ時にブラケット４３を前向きとしてもワイヤロープ８１がブラケット４３を側方へ引っ張ることが無いので、荷揚げ中もブラケット４３は前向きを維持し、吊り荷がワイヤロープ８１に接触したり絡んだりしない。吊り上げ後、荷を足場内に引き込む際はブラケット４３を旋回させて吊り荷を足場に近づけることができ、引き込み作業が容易となる。
また、ブラケット４３に前方延設部４８を設け、この前方延設部４８の前端部に設けたガイドロープ取り付け金具５１にガイドロープ５２を取り付け可能としたことにより、高い位置に吊り上げたときの荷の振れ止めが容易となる。
また、ビティ仮設足場３０の内、簡易クレーン本体４０の設置位置より上方位置に本体吊り上げ補助具６０を設置し、この本体吊り上げ補助具６０の吊持アーム６１に懸吊したシーブ６４に吊り上げ用のロープ６９を巻装し、簡易クレーン本体４０をビティ仮設足場３０の上方に付け替える際、ロープ６９で吊り上げることにより、上下の作業員が手渡しで下から上へ移動するよりも遥かに安全かつ容易に行うことができる。この際、ガイドローラ６６によりシーブ６４が吊持アーム６１を前後移動自在に形成されているので、簡易クレーン本体４０を上方に引き上げ後、作業員が簡易クレーン本体４０をビティ仮設足場３０の縦枠の方に引き寄せるとシーブ６４が後方移動し、簡易クレーン本体４０が大きな力で前方へ引っ張られることがなく、簡易クレーン本体４０の基部支柱４１を簡単にビティ仮設足場３０の縦枠に引き寄せることができ、装着作業を円滑に行うことができる。
また、吊持アーム６１の前部を下向きに傾斜させたことにより、簡易クレーン本体４０の吊り上げ中にシーブ６４が前方に寄るので、簡易クレーン本体４０が後側のビティ仮設足場３０に接触する恐れがない。
【００２３】
なお、上記した実施例では、ブラケットの前部に荷側滑車取り付け部を設け、この荷側滑車取り付け部に荷側滑車を着脱自在に懸吊可能としたが、ブラケットの前部に、荷側滑車取り付け部に代えて荷側シーブを装着し、ウインチから巻き出されたワイヤロープをウインチ側シーブを介して荷側シーブに巻装し、先端の吊りフックを下方へ垂下するようにしても良い。
また、上記した実施例ではブラケットの旋回軸の延長線上にウインチ側シーブの入り口が来るようにした場合を例に挙げたが、本発明は何らこれに限定されず、ブラケットの旋回軸の延長線上にウインチ側シーブの軸が来るようにしたりしても良く、要はブラケットの旋回軸の延長線上の近くにウインチ側シーブが来るようにすれば良い。
【産業上の利用可能性】
【００２４】
本発明は、マンション、ビル等の建築物の新築・改修工事現場等に設置される架設足場の上で使用するクレーンに適用できる。
【符号の説明】
【００２５】
１４  荷揚げ資材
３０  ビティ仮設足場
３１、３５、３６  建枠部材
４０  簡易クレーン本体
４１  基部支柱
４２、６３  クランプ
４３  ブラケット
４４  支軸
４５  上枠
４６  荷側滑車取り付け金具
４７  荷側滑車
４８  前方延設部
５１  ガイドロープ取り付け金具
５２  ガイドロープ
５４、８６  シャックル
５５  縦枠
５７  ウインチ側シーブ
６０  本体吊り上げ補助具
６１  吊持アーム
６２  基部支柱
６４  シーブ
６６  ガイドローラ
８０  ウインチ
８１  ワイヤロープ
８２  吊りフック
８３  玉掛けワイヤ
８４  ガイドロープ用滑車
【要約】      （修正有）【課題】ブラケットを旋回可能にしてもワイヤロープが吊り荷と接触し難い簡易クレーンを提供する。【解決手段】簡易クレーン本体４０は、ビティ仮設足場３０の建枠部材３１にクランプ４２で装着可能な基部支柱４１を備えている。基部支柱４１には支軸４４により水平面内で旋回自在にブラケット４３が軸支されている。ブラケット４３の前部に荷側滑車取り付け金具が固着されており、荷側滑車４７が懸吊されている。ブラケット４３の上枠には前方延設部４８が装着されており、この前方延設部４８の前端にガイドロープ取り付け金具が装着されている。ブラケット４３の縦枠の下端部には支軸４４の延長線近くにウインチ側シーブ５７が装着されている。ウインチ側シーブ５７の下方に配置したウインチ８０のワイヤロープ８１をウインチ側シーブ５７を介して荷側滑車４７に巻装し、先端の吊りフック８２を垂下可能とした。【選択図】図２【図１】
0005948542.tif 000002
【図２】
0005948542.tif 000003
【図３】
0005948542.tif 000004
【図４】
0005948542.tif 000005
【図５】
0005948542.tif 000006
【図６】
0005948542.tif 000007
【図７】
0005948542.tif 000008
【図８】
0005948542.tif 000009